【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
建築物の防火区画を画成する、中間に空洞部を有する仕切り壁に形成された貫通孔を配管等が貫通する防火区画貫通部構造において、
前記貫通孔には、外周に熱膨張性材料からなるテープ状膨張体が巻き付けられた配管等が貫通され、
前記テープ状膨張体の外面には金属箔または金属箔を基材とする積層体が積層され、
前記金属箔または金属箔を基材とする積層体が積層されたテープ状膨張体の外周と貫通孔との間隙はシーリング材で外側から塞がれていることを特徴とする防火区画貫通部構造。
【請求項２】
建築物の防火区画を画成する、中間に空洞部を有する仕切り壁に形成された貫通孔を配管等が貫通する防火区画貫通部構造において、
前記貫通孔には、外周に熱膨張性材料からなるテープ状膨張体が巻き付けられた配管等が貫通され、
前記テープ状膨張体の外面には金属箔または金属箔を基材とする積層体が積層され、
前記金属箔または金属箔を基材とする積層体が積層されたテープ状膨張体の外周と貫通孔との間隙は不燃材が充填され、
前記貫通孔の少なくとも一方の外縁には、前記配管等が貫通する開口を有する蓋体が仕切り壁に対接され、
前記金属箔または金属箔を基材とする積層体が積層されたテープ状膨張体の外周と前記開口との間隙はシーリング材で塞がれていることを特徴とする防火区画貫通部構造。
【請求項３】
建築物の防火区画を画成する、中間に空洞部を有する仕切り壁に形成された貫通孔を配管等が貫通する防火区画貫通部構造において、
前記貫通孔には、スリーブが挿入され、
前記スリーブの内側には、外周に熱膨張性材料からなるテープ状膨張体が巻き付けられた配管等が貫通されていることを特徴とする防火区画貫通部構造。
【請求項４】
前記スリーブの長さは、前記仕切り壁の厚さと同等であることを特徴とする請求項３に記載の防火区画貫通部構造。
【請求項５】
建築物の防火区画を画成する、中間に空洞部を有する仕切り壁に形成された貫通孔を配管等が貫通する防火区画貫通部構造において、
前記貫通孔には、前記仕切り壁の厚さと同等の長さを有するスリーブが挿入され、
前記スリーブの内側には、外周に熱膨張性材料からなるテープ状膨張体が巻き付けられた配管等が貫通され、
前記テープ状膨張体の外周とスリーブの間隙に不燃材が充填され、
前記貫通孔の少なくとも一方の外縁には、前記配管等が貫通する開口を有する蓋体が仕切り壁に対接されていることを特徴とする防火区画貫通部構造。
【請求項６】
前記配管等には、銅管に保温材を巻き付けた被覆銅管とケーブルが含まれ、
前記被覆銅管１本とケーブル１本を２本まとめてその外周にテープ状膨張体が巻き付けられていることを特徴とする請求項３から請求項５のいずれかに記載の防火区画貫通部構造。
【請求項７】
建築物の防火区画を画成する仕切り壁に形成された貫通孔を配管等が貫通する防火区画貫通部構造であって、
前記配管等には、銅管に保温材を巻き付けた被覆銅管とケーブルとが含まれ、
前記貫通孔には、前記被覆銅管１本とケーブル１本を２本まとめてその外周にテープ状膨張体が巻き付けられた配管等が貫通され、
前記テープ状膨張体の外周と貫通孔との間隙に不燃材が充填されていることを特徴とする防火区画貫通部構造。
【手続補正２】
【補正対象書類名】明細書
【補正対象項目名】０００９
【補正方法】変更
【補正の内容】
【０００９】
本発明は、建築物の防火区画を画成する、中間に空洞部を有する仕切り壁に形成された貫通孔を配管等が貫通する防火区画貫通部構造において、前記貫通孔には、外周に熱膨張性材料からなるテープ状膨張体が巻き付けられた配管等が貫通され、前記テープ状膨張体の外面には金属箔または金属箔を基材とする積層体が積層され、前記金属箔または金属箔を基材とする積層体が積層されたテープ状膨張体の外周と貫通孔との間隙はシーリング材で外側から塞がれている防火区画貫通部構造である。配管等の外周に金属箔を基材とする積層体が積層されているテープ状膨張体を巻き付け、貫通孔との間隙にシーリング材を詰めて塞ぐだけで、容易に貫通孔を閉塞することができる。
なお、被貫通物としては、給排水管、電線管、冷媒管、ダクト管等の樹脂管や金属管、電気配線のケーブル等がある。
【手続補正３】
【補正対象書類名】明細書
【補正対象項目名】００１０
【補正方法】変更
【補正の内容】
【００１０】
また、本発明は建築物の防火区画を画成する、中間に空洞部を有する仕切り壁に形成された貫通孔を配管等が貫通する防火区画貫通部構造において、前記貫通孔には、外周に熱膨張性材料からなるテープ状膨張体が巻き付けられた配管等が貫通され、前記テープ状膨張体の外面には金属箔または金属箔を基材とする積層体が積層され、前記金属箔または金属箔を基材とする積層体が積層されたテープ状膨張体の外周と貫通孔との間隙は不燃材が充填され、前記貫通孔の少なくとも一方の外縁には、前記配管等が貫通する開口を有する蓋体が仕切り壁に対接され、前記金属箔または金属箔を基材とする積層体が積層されたテープ状膨張体の外周と前記開口との間隙はシーリング材で塞がれている防火区画貫通部構造である。
貫通孔の径より大きい形状の蓋体を仕切り壁の貫通孔を塞ぐように片面あるいは両面に対接させる。この蓋体は配管等が貫通する開口を有し、この開口と配管等との間隙をシーリング材で塞ぐことが好ましい。この構成によれば、不燃材は蓋体で間隙内に確実に押し込まれて空隙が形成されず耐火性能を向上でき、蓋体が不燃材の場合は更に耐火性能を向上できる。また、蓋体を設けることによりシーリング材を間隙内に押し込むことができる。
【手続補正４】
【補正対象書類名】明細書
【補正対象項目名】００１１
【補正方法】変更
【補正の内容】
【００１１】
また、本発明は、建築物の防火区画を画成する、中間に空洞部を有する仕切り壁に形成された貫通孔を配管等が貫通する防火区画貫通部構造において、前記貫通孔には、スリーブが挿入され、前記スリーブの内側には、外周に熱膨張性材料からなるテープ状膨張体が巻き付けられた配管等が設けられている防火区画貫通部構造である。テープ状膨張体は、スリーブの内側に位置し、スリーブと配管等との間で熱膨張するため、中間に空洞部を有する仕切り壁であっても、テープ状膨張体の膨張状態が安定し間隙を確実に閉塞できる。
なお、スリーブは筒状体であって、金属製やセラミック製のものが好適である。軸方向の切断線で配管等を通すとき開くものでもよく、平板を丸めて一部が重なるものでもよい。スリーブは金属板等の板状体を丸めて貫通孔に挿入して拡開させ貫通孔の内周に密着させると、既設の配管等にも容易に適用できる。
【手続補正５】
【補正対象書類名】明細書
【補正対象項目名】００１２
【補正方法】変更
【補正の内容】
【００１２】
前記スリーブの長さが、前記仕切り壁の厚さと同等であることは好適である。
【手続補正６】
【補正対象書類名】明細書
【補正対象項目名】００１３
【補正方法】変更
【補正の内容】
【００１３】
また、本発明は、建築物の防火区画を画成する、中間に空洞部を有する仕切り壁に形成された貫通孔を配管等が貫通する防火区画貫通部構造において、前記貫通孔には、前記仕切り壁の厚さと同等の長さを有するスリーブが挿入され、前記スリーブの内側には、外周に熱膨張性材料からなるテープ状膨張体が巻き付けられた配管等が貫通され、前記テープ状膨張体の外周とスリーブの間隙に不燃材が充填され、前記貫通孔の少なくとも一方の外縁には、前記配管等が貫通する開口を有する蓋体が仕切り壁に対接されている防火区画貫通部構造である。
スリーブが貫通孔に密着し、スリーブの内側に不燃材とテープ状膨張体が位置することで、中間に空洞部を有する仕切り壁であっても、テープ状膨張体がスリーブの内側の充填材と配管等との間で安定し熱膨張する。また、配管等と貫通孔との間隙を塞ぐ蓋体を設けることにより、不燃材を間隙に確実に押し込むことができる。また、片側から不燃材を押し込みすぎて反対側にはみ出すことを防止できる。また、不燃材の充填により、耐火性能が確実に発揮できる。
この構成によれば、充填材は蓋体で間隙内に確実に押し込まれて空隙が形成されず耐火性能を向上でき、蓋体が不燃材の場合は更に耐火性能を向上できる。さらに、テープ状膨張体、スリーブや充填材のズレなどを防止できる。
【手続補正７】
【補正対象書類名】明細書
【補正対象項目名】００１４
【補正方法】変更
【補正の内容】
【００１４】
前記配管等には、銅管に保温材を巻き付けた被覆銅管とケーブルが含まれ、前記被覆銅管１本とケーブル１本を２本まとめてその外周にテープ状膨張体を巻き付けても良い。
【手続補正８】
【補正対象書類名】明細書
【補正対象項目名】００１５
【補正方法】変更
【補正の内容】
【００１５】
また、本発明は建築物の防火区画を画成する仕切り壁に形成された貫通孔を配管等が貫通する防火区画貫通部構造であって、前記配管等には、銅管に保温材を巻き付けた被覆銅管とケーブルとが含まれ、前記貫通孔には、前記被覆銅管１本とケーブル１本を２本まとめてその外周にテープ状膨張体が巻き付けられた配管等が貫通され、前記テープ状膨張体の外周と貫通孔との間隙に不燃材が充填されている防火区画貫通部構造である。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】